【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
シリアルバスで接続された情報処理装置に、実時間データ伝送と非同期データ伝送によりデータを送信するデータ送信装置において、
送信するコンテンツデータを、各セッションにおいて不変なセッションキーと、前記セッション内において更新される時変キーとからなる暗号鍵を用いて暗号化する暗号化手段と、
前記暗号化手段により暗号化された前記コンテンツデータにヘッダを付加し、前記実時間データ伝送のパケットにパケット化するパケット化手段と、
前記パケット化手段により前記実時間データ伝送のパケットにパケット化されたデータを前記シリアルバスに送信する送信手段と
を備えることを特徴とするデータ送信装置。
【請求項２】
前記パケット化手段により付加されたヘッダに、前記暗号化に関する識別コードを書き込む書き込み手段を
さらに備えることを特徴とする請求項１に記載のデータ送信装置。
【請求項３】
前記時変キーに関する情報を、前記パケット化手段により付加された前記ヘッダに書き込む書き込み手段を
さらに備えることを特徴とする請求項１に記載のデータ送信装置。
【請求項４】
前記パケット化手段は、さらに、前記セッションキーに関する情報を、前記非同期データ伝送のパケットにパケット化し、
前記送信手段は、前記パケット化手段により前記非同期データ伝送のパケットにパケット化されたデータもさらに前記シリアルバスに送信する
ことを特徴とする請求項１に記載のデータ送信装置。
【請求項５】
前記送信手段は、前記実時間データ伝送を、前記シリアルバスのアイソクロナスモードのパケット伝送により行い、前記非同期データ伝送を、前記シリアルバスのアシンクロナスモードのパケット伝送により行う
ことを特徴とする請求項１に記載のデータ送信装置。
【請求項６】
前記送信手段は、前記シリアルバスとしてのＩＥＥＥ１３９４の前記アイソクロナスモードと前記アシンクロナスモードに基づいて前記パケットの伝送を行う
ことを特徴とする請求項５に記載のデータ送信装置。
【請求項７】
シリアルバスで接続された情報処理装置に、実時間データ伝送と非同期データ伝送によりデータを送信するデータ送信方法において、
送信するコンテンツデータを、各セッションにおいて不変なセッションキーと、前記セッション内において更新される時変キーとからなる暗号鍵を用いて暗号化する暗号化ステップと、
前記暗号化ステップの処理により暗号化された前記コンテンツデータにヘッダを付加し、前記実時間データ伝送のパケットにパケット化するパケット化ステップと、
前記パケット化ステップの処理により前記実時間データ伝送のパケットにパケット化されたデータを前記シリアルバスに送信する送信ステップと
を備えることを特徴とするデータ送信方法。
【請求項８】
シリアルバスで接続されたデータ送信装置から、実時間データ伝送と非同期データ伝送により送信されてきたデータを受信するデータ受信装置において、
前記シリアルバスを介して送信されてきたデータを受信する受信手段と、
前記実時間データ伝送のパケットにパケット化されているデータをデパケット化するデパケット化手段と、
前記実時間データ伝送のパケットをデパケット化して得たデータであって、暗号化されているデータを、各セッションにおいて不変なセッションキーと、前記セッション内において更新される時変キーとからなる暗号鍵を用いて復号する復号手段と
を備えることを特徴とするデータ受信装置。
【請求項９】
前記実時間データ伝送のパケットのヘッダから、前記暗号化に関する識別コードを抽出する抽出手段を
さらに備えることを特徴とする請求項８に記載のデータ受信装置。
【請求項１０】
前記時変キーに関する情報を、前記実時間データ伝送のパケットのヘッダから抽出する抽出手段を
さらに備えることを特徴とする請求項８に記載のデータ受信装置。
【請求項１１】
前記デパケット化手段は、前記非同期データ伝送のパケットにパケット化されているデータもさらにデパケット化し、
前記セッションキーに関する情報を、前記非同期データ伝送のパケットから抽出する抽出手段を
さらに備えることを特徴とする請求項８に記載のデータ受信装置。
【請求項１２】
前記受信手段は、前記実時間データ伝送が、前記シリアルバスのアイソクロナスモードのパケット伝送により行われ、前記非同期データ伝送が、前記シリアルバスのアシンクロナスモードのパケット伝送により行われたデータを受信する
ことを特徴とする請求項８に記載のデータ受信装置。
【請求項１３】
前記受信手段は、前記シリアルバスとしてのＩＥＥＥ１３９４の前記アイソクロナスモードと前記アシンクロナスモードに基づいて送信されてきた前記パケットを受信する
ことを特徴とする請求項１２に記載のデータ受信装置。
【請求項１４】
シリアルバスで接続されたデータ送信装置から、実時間データ伝送と非同期データ伝送により送信されてきたデータを受信するデータ受信方法において、
前記シリアルバスを介して送信されてきたデータを受信する受信ステップと、
前記実時間データ伝送のパケットにパケット化されているデータをデパケット化するデパケット化ステップと、
前記実時間データ伝送のパケットをデパケット化して得たデータであって、暗号化されているデータを、各セッションにおいて不変なセッションキーと、前記セッション内において更新される時変キーとからなる暗号鍵を用いて復号する復号ステップと
を備えることを特徴とするデータ受信方法。
【請求項１５】
シリアルバスで接続されたデータ送信装置と、前記データ送信装置が、実時間データ伝送と非同期データ伝送により送信したデータを受信するデータ受信装置とを備えるデータ送受信システムにおいて、
前記データ送信装置は、
送信するコンテンツデータを、各セッションにおいて不変なセッションキーと、前記セッション内において更新される時変キーとからなる暗号鍵を用いて暗号化する暗号化手段と、
前記暗号化手段により暗号化された前記コンテンツデータにヘッダを付加し、前記実時間データ伝送のパケットにパケット化するパケット化手段と、
前記パケット化手段により前記実時間データ伝送のパケットにパケット化されたデータを前記シリアルバスに送信する送信手段と
を備え、
前記データ受信装置は、
前記シリアルバスを介して送信されてきたデータを受信する受信手段と、
前記実時間データ伝送のパケットにパケット化されているデータをデパケット化するデパケット化手段と、
前記実時間データ伝送のパケットをデパケット化して得たデータであって、暗号化されているデータを、前記暗号鍵を用いて復号する復号手段と
を備える
ことを特徴とするデータ送受信システム。
【請求項１６】
前記送信手段は、前記実時間データ伝送を、前記シリアルバスのアイソクロナスモードのパケット伝送により行い、前記非同期データ伝送を、前記シリアルバスのアシンクロナスモードのパケット伝送により行い、
前記受信手段は、前記アイソクロナスモードと前記アシンクロナスモードのパケット伝送により送信されてきたデータを受信する
ことを特徴とする請求項１５に記載のデータ送受信システム。
【請求項１７】
前記送信手段は、前記シリアルバスとしてのＩＥＥＥ１３９４の前記アイソクロナスモードと前記アシンクロナスモードに基づいて前記パケットの伝送を行い、
前記受信手段は、前記シリアルバスとしてのＩＥＥＥ１３９４の前記アイソクロナスモードと前記アシンクロナスモードに基づいて送信されてきた前記パケットを受信する
ことを特徴とする請求項１６に記載のデータ送受信システム。
【請求項１８】
シリアルバスで接続されたデータ送信装置と、前記データ送信装置が、実時間データ伝送と非同期データ伝送により送信したデータを受信するデータ受信装置とを備えるデータ送受信システムのデータ送受信方法において、
前記データ送信装置は、
送信するコンテンツデータを、各セッションにおいて不変なセッションキーと、前記セッション内において更新される時変キーとからなる暗号鍵を用いて暗号化する暗号化ステップと、
前記暗号化ステップの処理により暗号化された前記コンテンツデータにヘッダを付加し、前記実時間データ伝送のパケットにパケット化するパケット化ステップと、
前記パケット化ステップの処理により前記実時間データ伝送のパケットにパケット化されたデータを前記シリアルバスに送信する送信ステップと
を備え、
前記データ受信装置は、
前記シリアルバスを介して送信されてきたデータを受信する受信ステップと、
前記実時間データ伝送のパケットにパケット化されているデータをデパケット化するデパケット化ステップと、
前記実時間データ伝送のパケットをデパケット化して得たデータであって、暗号化されているデータを、前記暗号鍵を用いて復号する復号ステップと
を備える
ことを特徴とするデータ送受信方法。
【手続補正２】
【補正対象書類名】明細書
【補正対象項目名】０００６
【補正方法】変更
【補正の内容】
【０００６】
【課題を解決するための手段】
請求項１に記載のデータ送信装置は、送信するコンテンツデータを、各セッションにおいて不変なセッションキーと、セッション内において更新される時変キーとからなる暗号鍵を用いて暗号化する暗号化手段と、暗号化手段により暗号化されたコンテンツデータにヘッダを付加し、実時間データ伝送のパケットにパケット化するパケット化手段と、パケット化手段により実時間データ伝送のパケットにパケット化されたデータをシリアルバスに送信する送信手段とを備えることを特徴とする。


【手続補正３】
【補正対象書類名】明細書
【補正対象項目名】０００７
【補正方法】変更
【補正の内容】
【０００７】
請求項７に記載のデータ送信方法は、送信するコンテンツデータを、各セッションにおいて不変なセッションキーと、セッション内において更新される時変キーとからなる暗号鍵を用いて暗号化する暗号化ステップと、暗号化ステップの処理により暗号化されたコンテンツデータにヘッダを付加し、実時間データ伝送のパケットにパケット化するパケット化ステップと、パケット化ステップの処理により実時間データ伝送のパケットにパケット化されたデータをシリアルバスに送信する送信ステップとを備えることを特徴とする。


【手続補正４】
【補正対象書類名】明細書
【補正対象項目名】０００８
【補正方法】変更
【補正の内容】
【０００８】
請求項８に記載のデータ受信装置は、シリアルバスを介して送信されてきたデータを受信する受信手段と、実時間データ伝送のパケットにパケット化されているデータをデパケット化するデパケット化手段と、実時間データ伝送のパケットをデパケット化して得たデータであって、暗号化されているデータを、各セッションにおいて不変なセッションキーと、セッション内において更新される時変キーとからなる暗号鍵を用いて復号する復号手段とを備えることを特徴とする。


【手続補正５】
【補正対象書類名】明細書
【補正対象項目名】０００９
【補正方法】変更
【補正の内容】
【０００９】
請求項１４に記載のデータ受信方法は、シリアルバスを介して送信されてきたデータを受信する受信ステップと、実時間データ伝送のパケットにパケット化されているデータをデパケット化するデパケット化ステップと、実時間データ伝送のパケットをデパケット化して得たデータであって、暗号化されているデータを、各セッションにおいて不変なセッションキーと、セッション内において更新される時変キーとからなる暗号鍵を用いて復号する復号ステップとを備えることを特徴とする。


【手続補正６】
【補正対象書類名】明細書
【補正対象項目名】００１０
【補正方法】変更
【補正の内容】
【００１０】
請求項１５に記載のデータ送受信システムは、データ送信装置は、送信するコンテンツデータを、各セッションにおいて不変なセッションキーと、セッション内において更新される時変キーとからなる暗号鍵を用いて暗号化する暗号化手段と、
暗号化手段により暗号化されたコンテンツデータにヘッダを付加し、実時間データ伝送のパケットにパケット化するパケット化手段と、パケット化手段により実時間データ伝送のパケットにパケット化されたデータをシリアルバスに送信する送信手段とを備え、データ受信装置は、シリアルバスを介して送信されてきたデータを受信する受信手段と、実時間データ伝送のパケットにパケット化されているデータをデパケット化するデパケット化手段と、実時間データ伝送のパケットをデパケット化して得たデータであって、暗号化されているデータを、暗号鍵を用いて復号する復号手段とを備えることを特徴とする。


【手続補正７】
【補正対象書類名】明細書
【補正対象項目名】００１１
【補正方法】変更
【補正の内容】
【００１１】
請求項１８に記載のデータ送受信方法は、データ送信装置は、送信するコンテンツデータを、各セッションにおいて不変なセッションキーと、セッション内において更新される時変キーとからなる暗号鍵を用いて暗号化する暗号化ステップと、暗号化ステップの処理により暗号化されたコンテンツデータにヘッダを付加し、実時間データ伝送のパケットにパケット化するパケット化ステップと、パケット化ステップの処理により実時間データ伝送のパケットにパケット化されたデータをシリアルバスに送信する送信ステップとを備え、データ受信装置は、シリアルバスを介して送信されてきたデータを受信する受信ステップと、実時間データ伝送のパケットにパケット化されているデータをデパケット化するデパケット化ステップと、実時間データ伝送のパケットをデパケット化して得たデータであって、暗号化されているデータを、暗号鍵を用いて復号する復号ステップとを備えることを特徴とする。


【手続補正８】
【補正対象書類名】明細書
【補正対象項目名】００１２
【補正方法】変更
【補正の内容】
【００１２】
請求項１に記載のデータ送信装置および請求項７に記載のデータ送信方法においては、コンテンツデータが、各セッションにおいて不変なセッションキーと、セッション内において更新される時変キーとからなる暗号鍵を用いて暗号化され、暗号化されたコンテンツデータにヘッダが付加され、実時間データ伝送のパケットにパケット化され、シリアルバスに送信される。


【手続補正９】
【補正対象書類名】明細書
【補正対象項目名】００１３
【補正方法】変更
【補正の内容】
【００１３】
請求項８に記載のデータ受信装置および請求項１４に記載のデータ受信方法においては、シリアルバスを介して送信されてきたデータが受信され、実時間データ伝送のパケットにパケット化されているデータがデパケット化され、実時間データ伝送のパケットをデパケット化して得たデータであって、暗号化されているデータが、各セッションにおいて不変なセッションキーと、前記セッション内において更新される時変キーとからなる暗号鍵を用いて復号される。


【手続補正１０】
【補正対象書類名】明細書
【補正対象項目名】００１４
【補正方法】変更
【補正の内容】
【００１４】
請求項１５に記載のデータ送受信システムおよび請求項１８に記載のデータ送受信方法においては、データ送信装置が、コンテンツデータを、各セッションにおいて不変なセッションキーと、セッション内において更新される時変キーとからなる暗号鍵を用いて暗号化し、暗号化されたコンテンツデータにヘッダを付加し、実時間データ伝送のパケットにパケット化し、シリアルバスでデータ受信装置に送信する。データ受信装置は、シリアルバスを介して送信されてきたデータを受信し、実時間データ伝送のパケットにパケット化されているデータをデパケット化し、実時間データ伝送のパケットをデパケット化して得たデータであって、暗号化されているデータを、暗号鍵を用いて復号する。


【手続補正１１】
【補正対象書類名】明細書
【補正対象項目名】００１６
【補正方法】変更
【補正の内容】
【００１６】
請求項１に記載のデータ送信装置は、送信するコンテンツデータ（例えば、映像信号や音声信号）を、各セッションにおいて不変なセッションキー（例えば、セッションキーＳ）と、セッション内において更新される時変キー（例えば、時変キーｉ）とからなる暗号鍵を用いて暗号化する暗号化手段（例えば、図２の暗号化復号化回路２４）と、暗号化手段により暗号化されたコンテンツデータにヘッダを付加し、実時間データ伝送のパケットにパケット化するパケット化手段（例えば、図２の送受信切換回路２１）と、パケット化手段により実時間データ伝送のパケットにパケット化されたデータをシリアルバスに送信する送信手段（例えば、図２のPHY部１１）とを備えることを特徴とする。


【手続補正１２】
【補正対象書類名】明細書
【補正対象項目名】００１７
【補正方法】変更
【補正の内容】
【００１７】
請求項２に記載のデータ送信装置は、パケット化手段により付加されたヘッダに、暗号化に関する識別コード（例えば、tcode）を書き込む書き込み手段（例えば、図２の暗号復号制御回路２５）をさらに備えることを特徴とする。


【手続補正１３】
【補正対象書類名】明細書
【補正対象項目名】００１８
【補正方法】変更
【補正の内容】
【００１８】
請求項３に記載のデータ送信装置は、時変キーに関する情報を、パケット化手段により付加されたヘッダに書き込む書き込み手段（例えば、図２の暗号復号制御回路２５）をさらに備えることを特徴とする。


【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
請求項８に記載のデータ受信装置は、シリアルバスを介して送信されてきたデータを受信する受信手段（例えば、図２のPHY部１１）と、実時間データ伝送のパケットにパケット化されているデータをデパケット化するデパケット化手段（例えば、図２の送受信切換回路２１）と、実時間データ伝送のパケットをデパケット化して得たデータであって、暗号化されているデータを、各セッションにおいて不変なセッションキー（例えば、セッションキーＳ）と、セッション内において更新される時変キー（例えば、時変キーｉ）とからなる暗号鍵を用いて復号する復号手段（例えば、図２の暗号化復号化回路２４）とを備えることを特徴とする。


【手続補正１８】
【補正対象書類名】明細書
【補正対象項目名】００２３
【補正方法】変更
【補正の内容】
【００２３】
請求項９に記載のデータ受信装置は、パケットのヘッダから、暗号化に関する識別コード（例えば、tcode）を抽出する抽出手段（例えば、図２のヘッダシンク検出生成回路２３）をさらに備えることを特徴とする。


【手続補正１９】
【補正対象書類名】明細書
【補正対象項目名】００２４
【補正方法】変更
【補正の内容】
【００２４】
請求項１０に記載のデータ受信装置は、時変キーに関する情報を、実時間データ伝送のパケットのヘッダから抽出する抽出手段（例えば、図２のヘッダシンク検出生成回路２３）をさらに備えることを特徴とする。


【手続補正２０】
【補正対象書類名】明細書
【補正対象項目名】００２５
【補正方法】変更
【補正の内容】
【００２５】
請求項１１に記載のデータ受信装置は、デパケット化手段は、非同期データ伝送のパケットにパケット化されているデータもさらにデパケット化し、セッションキーに関する情報を、非同期データ伝送のパケットから抽出する抽出手段（例えば、図２のCPU４１）をさらに備えることを特徴とする。


【手続補正２１】
【補正対象書類名】明細書
【補正対象項目名】００２６
【補正方法】変更
【補正の内容】
【００２６】
請求項１５に記載のデータ送受信システムは、データ送信装置は、送信するコンテンツデータ（例えば、映像信号や音声信号）を、各セッションにおいて不変なセッションキー（例えば、セッションキーＳ）と、セッション内において更新される時変キー（例えば、時変キーｉ）とからなる暗号鍵を用いて暗号化する暗号化手段（例えば、図２の暗号化復号化回路２４）と、暗号化手段により暗号化されたコンテンツデータにヘッダを付加し、実時間データ伝送のパケットにパケット化するパケット化手段（例えば、図２の送受信切換回路２１）と、パケット化手段により実時間データ伝送のパケットにパケット化されたデータをシリアルバスに送信する送信手段（例えば、図２のPHY部１１）とを備え、データ受信装置は、シリアルバスを介して送信されてきたデータを受信する受信手段（例えば、図２のPHY部１１）と、実時間データ伝送のパケットにパケット化されているデータをデパケット化するデパケット化手段（例えば、図２の送受信切換回路２１）と、実時間データ伝送のパケットをデパケット化して得たデータであって、暗号化されているデータを、暗号鍵を用いて復号する復号手段（例えば、図２の暗号化復号化回路２４）とを備えることを特徴とする。


【手続補正２２】
【補正対象書類名】明細書
【補正対象項目名】００７５
【補正方法】変更
【補正の内容】
【００７５】
【発明の効果】
以上の如く、請求項１に記載のデータ送信装置および請求項７に記載のデータ送信方法によれば、暗号化されたデータを、実時間データ伝送のパケットにパケット化して、シリアルバスに送信するようにしたので、より安全にデータを送信することが可能となる。


【手続補正２３】
【補正対象書類名】明細書
【補正対象項目名】００７６
【補正方法】変更
【補正の内容】
【００７６】
請求項８に記載のデータ受信装置および請求項１４に記載のデータ受信方法によれば、実時間データ伝送のパケットでパケット化して得たデータであって、暗号化されているデータを復号するようにしたので、安全に伝送されてきたデータを、確実に復号することが可能となる。


【手続補正２４】
【補正対象書類名】明細書
【補正対象項目名】００７７
【補正方法】変更
【補正の内容】
【００７７】
請求項１５に記載のデータ送受信システムおよび請求項１８に記載のデータ送受信方法によれば、データ送信装置で暗号化されたデータを、実時間データ伝送のパケットにパケット化して送信し、データ受信装置において、これを受信するようにしたので、安全なデータ送受信システムを実現することができる。